(57)【特許請求の範囲】
【請求項１】
建物の軸組の屋内側に金属製内壁枠の上部を固定する金属製内壁枠上部固定金具において、
前記金属製内壁枠の上方を嵌め込み支持する断面が略コの字型の嵌め込み支持部と、該嵌め込み支持部の一方を前記軸組の構造体を形成する断面Ｃ型の軸組の開口部に下方から取付け固定する取付け部とからなると共に、
前記嵌め込み支持部の取付け部を接続した側面に、前記軸組との間隔を設けるための突出片が設けられ、
前記取付け部が、前記嵌め込み支持部の一方と接続し、その端部が前記軸組の開口部に挟み込み可能な取付け板と、該取付け板に回転自在に固定された挟み板とを備えた
ことを特徴とする金属製内壁枠上部固定金具。
【請求項２】
前記嵌め込み支持部が、前記取付け部と接続する断面が略Ｌ字型の第１Ｌ字型部材と、この第１Ｌ字型部材に連結固定した断面が略Ｌ字型で、厚さが前記第１Ｌ字型部材より薄い第２Ｌ字型部材とからなることを特徴とする請求項１に記載の金属製内壁枠上部固定金具。
【発明の詳細な説明】
【０００１】
【発明の属する技術分野】
本発明は、建物の軸組の屋内側における内壁の枠体である金属製内壁枠を軸組の上部に固定する場合に用いる金属製内壁枠上部固定金具に関する。
【０００２】
【従来の技術】
金属製内壁枠自体新しい構成であるため、建物の軸組の屋内側に前記金属製内壁枠を固定する好適な従来の技術というものは存在しなかった。
【０００３】
【発明が解決しようとする課題】
本発明は、建物の軸組の屋内側に取り付けられる金属製内壁枠を手間、時間を要することなく、容易に前記軸組に固定することを可能とする金属製内壁枠上部固定金具を提供することを目的とするものである。
【０００４】
【課題を解決するための手段】
請求項１に記載の金属製内壁枠上部固定金具は、建物の軸組の屋内側に金属製内壁枠の上部を固定する金属製内壁枠上部固定金具において、前記金属製内壁枠の上方を嵌め込み支持する断面が略コの字型の嵌め込み支持部と、該嵌め込み支持部の一方を前記軸組の構造体を形成する断面Ｃ型の軸組の開口部に下方から取付け固定する取付け部とからなると共に、前記嵌め込み支持部の取付け部を接続した側面に、前記軸組との間隔を設けるための突出片が設けられ、前記取付け部が、前記嵌め込み支持部の一方と接続し、その端部が前記軸組の開口部に挟み込み可能な取付け板と、該取付け板に回転自在に固定された挟み板とを備えたものである。
【０００７】
また、この発明の請求項２に記載の金属製内壁枠上部固定金具は、前記請求項１に記載の金属製内壁枠上部固定金具において、前記嵌め込み支持部が、前記取付け部と接続する断面が略Ｌ字型の第１Ｌ字型部材と、この第１Ｌ字型部材に連結固定した断面が略Ｌ字型で、厚さが前記第１Ｌ字型部材より薄い第２Ｌ字型部材とからなることを特徴とするものである。
【０００８】
【発明の実施の形態】
以下、本発明の第１実施形態を図面に基づき具体的に説明する。
本発明の金属製内壁枠上部金属製内壁枠上部固定金具１は、図１乃至図７に示すように、建物の軸組２の内側における金属製内壁枠３を前記軸組２に固定する際に使用されるものである。
【０００９】
図１乃至図３に示すように、金属製内壁枠上部固定金具１は、全体が金属製の薄板からなり、金属製内壁枠３の上方を嵌め込み支持する断面が略コの字型の嵌め込み支持部４と、該嵌め込み支持部４の一方を、前記軸組２を形成する断面が略Ｃ型の開口部に下方から取付け固定する取付け部５とを備えている。
【００１０】
嵌め込み支持部４は、断面が略コ字型であり、金属製内壁枠３の上面に対向する上面部６と、該上面部６の両端から前記金属製内壁枠３の上部の両側面に沿ってそれぞれ下垂する前面部７、および、前記嵌め込み支持部４の取付け部５を接続した後面部８とを備えている。また、該後面部８の両側端の中央部分には、一対の突出片９が形成され、かつ、前記前面部７の下部は前記後面部８へ折り曲げられ、当該折り曲げ箇所１０には、一対のビス孔１１が設けられている。
【００１１】
取付け部５は、前記嵌め込み支持部４の一方と接続し、その端部が前記軸組２の開口部に挟み込み可能な取付け板１２と、前記取付け部５に回動自在に接続された挟み板１３とから構成されており、前記取付け部５の水平部分は、図１および図２に示すように、後面部８の下端と接続する一端部１４と、該一端部１４に接続され、中央部分にリベット孔１５、１６とを有する中央部１７と、該中央部１７から接続された他端部１８とから形成されている。
【００１２】
取付け板１２は、前記前記嵌め込み部４の一方と接続し、その端部が前記軸組２の開口部に挟み込み可能であり、断面が略くの字型であり、他端部１８の上面と、前記取付け板１２の下面との距離は、軸組２の厚さと略等しくなっている。
【００１３】
挟み板１３は、図２に示すように、一端が略半円型であり、中央部分にリベット孔１９とビス孔２０を有する水平部２１と、該水平部２１の他端に接続され、断面が略くの字型である一方が略円弧型である立ち上り部２２とから形成されている。
【００１４】
また、ここで述べられる金属製内壁枠３とは、建物の軸組２の内側に取り付けられる枠体のことであり、枠体としての剛性を有するものであれば、任意の材料を用いることができ、例えば、アルミニウム等の金属、硬質樹脂等があげられる。なお、この実施形態においては、前記金属製内壁枠３の水平部材である上枠と下枠には、金属製のランナー２３と、垂直部材である縦枠には、同じく金属製の図示しないスタッドが用いられており、前記ランナー２３と図示しないスタッドを組み合わせてなる枠体内に、内部断熱材２４を取付け、その表面に防湿シート２５を施し、さらにその裏面には、裏面断熱材２６を取り付けた構成となっている。
【００１５】
次に、以上のように構成される金属製内壁枠上部固定金具１を用いた金属製内壁枠３の固定手順について説明する。
【００１６】
まず、図１および図２に示すように、あらかじめ工場等で取付け部５に設けられたリベット孔１５と挟み板１３に設けられたリベット孔１９をリベットにより回動自在に接合しておく。
【００１７】
次に、建築現場において、 図５に示すように、軸組２の開口部の一方に、取付け部５の他端部１８と取付け板１２との間に前記開口部の一方を挟むように嵌め込み支持する。このとき、前記他端部１８の上面と、取付け板１２の下面との距離は、略前記軸組２の厚さに保たれており、また、前記他端部１８および前記取付け板１２は、十分な長さを有しており、嵌め込み支持部４の自重で前記開口部の一方から外れることなく、前記開口部の一方に支持される。
【００１８】
続いて、図６および図７に示すように、挟み板１３の立ち上り部２２の側面を図示しない金槌等の工具でたたいて、取付け部５の中央部１７のビス孔１６と前記挟み板１３の水平部２１に設けられたビス孔２０とが重なり合うまで後面部８の方へ回転させ、前記中央部１７と前記挟み板１３の立ち上り部２２とで、開口部の他方を挟むように嵌め込み支持する。このとき、立ち上り部２２は、一方が略円弧型をしているので、軸組２の開口部の上面を滑らかに回転するようになっている。
【００１９】
前記ビス孔１６と前記ビス孔２０とが重なり合うまで回転させた後、ビス２７を打ち、取付け部５と挟み板１３とを固定する。このとき、金属製内壁枠上部固定金具１は、軸組２の開口部の一方を取付け部５と取付け板１２によって挟持し、また、前記開口部の他方を前記取付け部５と挟み板１３とで挟持している。
【００２０】
次に、金属製内壁枠３の上方を金属製内壁枠上部固定金具１の嵌め込み支持部４に嵌挿する。このとき、前面部７には、折り曲がり箇所１０が設けられているので、確実に前記金属製内壁枠３の上方を支持する。また、後面部８の両側面には、突出片９が設けられており、これによって、軸組２と前記後面部８との間に間隔を設け、裏面断熱材２６の厚さを確保するので、該裏面断熱材２６の反発力で前記金属製内壁枠３が室内側へ倒れるのを防いでいる。
【００２１】
続いて、前面部７の折り曲げ箇所１０に設けられた一対のビス孔１１にビス２８を打ち、金属製内壁枠３と金属製内壁枠上部固定金具１と接合する。これによって、軸組２と金属製内壁枠３が金属製内壁枠上部固定金具１を介して確実に固定される。
【００２２】
次に、図８乃至図１３に基づいて、本発明の第２の実施形態について説明する。この第２実施形態に金属製内壁枠上部固定金具２９は、階段および吹抜け部分等の１、２階通して石膏ボードを貼る場合に好適に用いられるものである。
【００２３】
図８乃至１０に示すように、第２実施形態おける金属製内壁枠上部固定金具２９は、全体が金属製の薄板からなり、嵌め込み支持部３０が、取付け部５と接続する断面が略Ｌ型の第１Ｌ字型部材３１と、該第１Ｌ字型部材３１に連結固定した断面が略Ｌ字型で、厚さが前記第１Ｌ字型部材３１より薄い第２Ｌ字型部材３２とから形成されている。
【００２４】
第１Ｌ字型部材３１は、金属製内壁枠３の上方を嵌め込み支持する断面が略Ｌ字型の嵌め込み支持部３０と、該嵌め込み支持部３０の一方を前記軸組２における断面が略Ｃ型の開口部５に下方から取付け固定する取付け部５とを備えている。
【００２５】
嵌め込み支持部３０は、断面が略Ｌ字型であり、金属製内壁枠３の上面に対向し、中央部分にリベット孔３３を有する上面部３４と、該上面部３４の側面から前記金属製内壁枠３の上部に側面に沿って下垂する側面すなわち前記嵌め込み支持部３０の取付け部５を接続した後面部３５とを備えている。
【００２６】
第２Ｌ字型部材３２は、略Ｌ字型であり、前記第１Ｌ字型部材３１より薄い金属製の薄板からなり、上面部３３と接合する横片３６と、該横片３６の一端から金属製内壁枠３の上部の側面に沿って下垂する縦片３７とを備えている。
【００２７】
横片３６は、中央部分に一対のビス孔３８を有し、前記第１Ｌ字型部材３１のリベット孔３８とリベット接合されている。また、縦片３７の下部には、一対のビス孔３９が設けられている。
【００２８】
取付け部５、取付け板１２および挟み板１３は、前記第１実施形態と大略同様に構成されている。ここでは、対応する部位に同一の参照番号を付して重複した説明を省略する。
【００２９】
その後、第１実施形態と同様の要領で、軸組２に金属製内壁枠３を固定することができる。
【００３０】
【発明の効果】
以上、説明したように、請求項１に記載の発明によると、金属製内壁枠を軸組に固定する際に、前記金属製内壁枠を金属製内壁枠上部固定金具に嵌め込むだけでよいので、従来のように、金属製内壁枠を手で押さえておく必要がなく、作業が煩雑のならないという利点がある。また、釘を打つ必要がないので、隣接する金属製内壁枠間に段差が生じず、見栄えがよくなるという利点がある。また、取付け部が軸組の開口部に挟み込み可能な取付け板と、該取付け板に回動自在に連結された挟み板とから形成されているので、容易に軸組に取付けられるという利点がある。さらに、嵌め込み支持部の取付け部を接続した側面に、前記軸組との間隔を設け金属製内壁枠に取付けられている裏面断熱材の厚さを確保しているので、金属製内壁枠を固定金具に嵌め込んだ際に、裏面断熱材の反発力を抑制するという利点がある。
【００３３】
また、請求項２に記載の発明によると、嵌め込み支持部が取付け部と接続する断面が略Ｌ字型の第１Ｌ字型部材と、該第１Ｌ字型部材に連結固定された断面が略Ｌ字型で、厚さが前記第１Ｌ字型部材より薄い第２Ｌ字型部材とから形成されているので、階段および吹抜け部分等の１、２階を通して石膏ボードを貼る際に不陸をおこさないという利点がある。
【図面の簡単な説明】
【図１】本発明の第１実施形態に係る金属製内壁枠上部固定金具の側面図
【図２】前記金属製内壁枠上部固定金具の平面図
【図３】金属製内壁枠上部固定金具の斜視図
【図４】金属製内壁枠上部固定金具を用いた金属製内壁枠の固定手順の一例を示す斜視図
【図５】金属製内壁枠上部固定金具の取付け状態を示すＡ−Ａ部分斜視図
【図６】金属製内壁枠上部固定金具の固定状態を示すＡ−Ａ部分断面図
【図７】金属製内壁枠上部固定金具の固定状態を示すＡ−Ａ部分斜視図
【図８】本発明の第２実施形態に係る金属製内壁枠上部固定金具の側面図
【図９】金属製内壁枠上部固定金具の平面図
【図１０】金属製内壁枠上部固定金具の斜視図
【図１１】金属製内壁枠上部固定金具の取付け状態を示すＡ−Ａ部分斜視図
【図１２】金属製内壁枠上部固定金具の固定状態を示すＡ−Ａ部分断面図
【図１３】金属製内壁枠上部固定金具の固定状態を示すＡ−Ａ部分斜視図
【符号の説明】
１  金属製内壁枠上部固定金具
２  軸組
３  金属製内壁枠
４  嵌め込み支持部
５  取付け部
９  突出片
１２  取付け板
１３  挟み板
２９  第２実施形態における金属製内壁枠上部固定金具
３１  第１Ｌ字型部材
３２  第２Ｌ字型部材
【図１】
0003945735.tif 000002
【図２】
0003945735.tif 000003
【図３】
0003945735.tif 000004
【図４】
0003945735.tif 000005
【図５】
0003945735.tif 000006
【図６】
0003945735.tif 000007
【図７】
0003945735.tif 000008
【図８】
0003945735.tif 000009
【図９】
0003945735.tif 000010
【図１０】
0003945735.tif 000011
【図１１】
0003945735.tif 000012
【図１２】
0003945735.tif 000013
【図１３】
0003945735.tif 000014